(57)【特許請求の範囲】
【請求項１】
治療器械において、
器械ベース部分が設けられており、
音波発生源が設けられており、
音波発生源のための少なくとも１つの治療器械構成要素が設けられており、該治療器械構成要素が、音波発生源に対して固定的な距離で、かつ音波発生源に対して固定的な空間配設関係で配置されており、かつ伝送ラインを介して音波発生源に接続されており、
器械ベース部分に対して相対的に少なくとも１つの運動自由度で音波発生源の位置を調整移動するための手段として、音波発生源を固定した支持機構が設けられており、複数の治療器械構成部分が、互いに固定的な距離で、かつ互いに固定的な空間配設関係で配置されており、器械ベース部分に対して相対的に少なくとも１つの運動自由度で支持機構を調整移動するための手段が設けられていることを特徴とする、治療器械。
【請求項２】
治療器械構成要素が、高電圧ジェネレータを備えており、伝送ラインが、高電圧ジェネレータと音波発生源とを接続する高圧ケーブルを備えている、請求項１記載の治療器械。
【請求項３】
治療器械構成要素が、液体補充リザーバを備えており、伝送ラインが、液体補充リザーバと音波発生源とを接続するための液体導管を備えている、請求項１記載の治療器械。
【請求項４】
液体導管が、管路として構成されている、請求項３記載の治療器械。
【請求項５】
治療器械要素が、液体ポンプを備えており、伝送ラインが、液体ポンプと音波発生源とを接続する液体導管を備えている、請求項３記載の治療器械。
【請求項６】
液体導管が、管路として構成されている、請求項５記載の治療器械。
【請求項７】
治療器械要素が、液体ポンプを備えており、伝送ラインが、液体ポンプと音波発生源とを接続する液体導管を備えている、請求項１記載の治療器械。
【請求項８】
液体導管が、管路として構成されている、請求項７記載の治療器械。
【請求項９】
前記調整移動手段が、駐留位置から作業位置へかつその逆の作業位置から駐留位置へ調整移動するための手段を備えている、請求項１記載の治療器機。
【請求項１０】
前記調整移動手段が、駐留位置から作業位置へかつその逆の作業位置から駐留位置へ音波発生源を調整するための手段を備えている、請求項１記載の治療器機。
【請求項１１】
治療器械において、
器械ベース部分が設けられており、
音波発生源が設けられており、
音波発生源のための少なくとも１つの治療器械構成要素が設けられており、該治療器械構成要素が、音波発生源に対して固定的な距離で、かつ音波発生源に対して固定的な空間配設関係で配置されており、かつ伝送ラインを介して音波発生源に接続されており、
器械ベース部分に対して相対的に少なくとも１つの運動自由度で音波発生源の位置を調整移動するための手段として、音波発生源を固定した支持機構が設けられており、複数の治療器械構成部分が、互いに固定的な距離で、かつ互いに固定的な空間配設関係で配置されており、器械ベース部分に対して相対的に少なくとも１つの運動自由度で支持機構を調整移動するための手段が設けられており、伝送ラインが、完全に支持機構に収容されていることを特徴とする、治療器機。
【請求項１２】
治療器械構成部分が、高電圧ジェネレータを備えており、伝送ラインが、高電圧ジェネレータと音波発生源とを接続する高圧ケーブルを備えている、請求項１１記載の治療器械。
【請求項１３】
治療器械構成要素が、液体補充リザーバを備えており、伝送ラインが、液体補充リザーバと音波発生源とを接続するための液体導管を備えている、請求項１１記載の治療器械。
【請求項１４】
液体導管が、管路として構成されている、請求項１３記載の治療器械。
【請求項１５】
治療器械要素が、液体ポンプを備えており、伝送ラインが、液体ポンプと音波発生源とを接続する液体導管を備えている、請求項１３記載の治療器械。
【請求項１６】
液体導管が、管路として構成されている、請求項１５記載の治療器械。
【請求項１７】
治療器械要素が、液体ポンプを備えており、伝送ラインが、液体ポンプと音波発生源とを接続する液体導管を備えている、請求項１１記載の治療器械。
【請求項１８】
液体導管が、管路として構成されている、請求項１７記載の治療器械。
【発明の詳細な説明】
【０００１】
【産業上の利用分野】
本発明は、器械ベース部分１に対して少なくとも１つの運動自由度で調整移動可能な音波発生源と、該音波発生源の外部に配置されていて少なくとも１本の伝送ラインを介して前記音波発生源に接続された少なくとも１つの治療器械構成要素とを有する形式の、音波で処置を施すための治療器械に関するものである。
【０００２】
【従来の技術】
特公昭６３−３１７１５１号公報及びドイツ連邦共和国特許出願公開第３８４００７７号明細書に基づいて公知になっている例えば結石砕破器（砕石器）のような前記形式の治療器械では、音波発生源を調整移動する際に、該音波発生源と治療器械構成要素との間の距離及び／又は空間配設関係が変化する。このことは取りも直さず、音波発生源と治療器械構成要素とを接続する伝送ラインに関して見れば、該伝送ラインを損傷させることなしに音波発生源に必要な調整移動を可能にするような適当な対策を講じる必要があることを意味している。しかしながらこの対策を講じるためには多額の経費が必然的に伴う。それというのは、この伝送ラインが例えば音波発生源に給電するために使用される高圧ケーブルである場合には該高圧ケーブルは、患者と操作医局員の安全のためにいかなる損傷も許されないからである。
【０００３】
【発明が解決しようとする課題】
本発明の課題は、冒頭で述べた形式の例えば結石砕破器のような治療器械を改良して、僅かな経費でかつ必要とする限りの高い安全性をもって音波発生源と治療器械構成要素とを接続できるように構成することである。
【０００４】
【課題を解決するための手段】
器械ベース部分に対して少なくとも１つの運動自由度で調整移動可能な音波発生源と、該音波発生源の外部に配置されていて少なくとも１本の伝送ラインを介して前記音波発生源に接続された少なくとも１つの治療器械構成要素とを有する形式の、音波で処置を施すための治療器械における前記課題を解決するための本発明の構成手段は、治療器械構成要素が音波発生源と一緒に、器械ベース部分に対して相対的に調整移動可能であって、しかも該調整移動に基づいて前記音波発生源と前記治療器械構成要素との距離を変化させることのないように構成されている点にある。
【０００５】
【作用】
要するに本発明の構成手段によって、音波発生源と治療器械構成要素との間の距離の変化を補償するために、いかなる対応策を講じる必要がなくなる。また、音波発生源と治療器械構成要素との間の距離が一定であることに基づいて、両者を接続している伝送ライン（高圧ケーブル及び液体導管）が曝される機械的応力も比較的僅かであるので安全性も高められる。
【０００６】
【実施態様とその作用】
本発明では、治療器械構成部分が、音波発生源と治療器械構成要素との間の空間配設関係を維持するように前記音波発生源と一緒に調整移動可能である場合は、特に有利な関係が生じる。この場合、音波発生源と治療器械構成要素とを接続する伝送ラインに関する関係は、音波発生源を調整移動できない場合に存在するような状況に等しい。要するに音波発生源を治療器械構成要素に接続するためにかけられる経費は、定置の音波発生源を定置の治療器械構成要素に接続する場合よりも高くなることはない訳である。
【０００７】
治療器械構成部分を搭載した走行移動可能な器械ベース部分を備えた治療器械はドイツ連邦共和国特許出願公開第４１３５１７７号明細書に基づいて公知である。この場合器械ベース部分には音波発生源が、少なくとも１つの運動自由度で調整移動可能に装着されてはいる。しかしながら本発明とは異なって、この公知技術では音波発生源と、器械ベース部分に搭載した治療器械構成要素とを一緒に、前記器械ベース部分に対して相対調整移動させる可能性は与えられていない。
【０００８】
要するに従来技術に対して本発明の有利な実施態様では、音波発生源と治療器械構成部分とが、器械ベース部分に対して相対的に少なくとも１つの運動自由度で調整移動可能な支持機構に装着されている。
【０００９】
また欧州特許出願公開第０４８３３９６号明細書に基づいてそれ自体公知になっているように本発明の実施態様でも、治療器械構成要素として、高圧ケーブルを介して音波発生源に接続された高電圧ジェネレータが設けられている。この場合は、しかしながら従来技術におけるように高圧ケーブルの大きな機械的な曲げ剛さが特別の問題点となることはないので、有利である。
【００１０】
前掲の欧州特許出願公開第０４８３３９６号明細書に基づいて同じくそれ自体公知になっているように本発明の実施態様でも、治療器械構成要素として、液体補充リザーバ及び／液体ポンプが設けられており、前記の各治療器械構成要素が少なくとも１本の液体導管を介して音波発生源に接続されている。この場合は、故障発生率の高いホース導管の使用を廃して、その代りに管路使用が可能になるので有利である。
【００１１】
【実施例】
次に図面に基づいて本発明の実施例を詳説する。
【００１２】
本発明の治療器械は器械ベース部分としての台座１を有し、該台座にレントゲン式部位測定装置が装着されている。該レントゲン式部位測定装置はレントゲン線放射器２とレントゲン像増幅器３とを有し、両者つまりレントゲン線放射器２とレントゲン像増幅器３はＣ形円弧部材４の両端に互いに向い合せに装備されている。
【００１３】
前記Ｃ形円弧部材４は、詳細な図示は省いたが、該Ｃ形円弧部材の周方向にその中心軸線Ｍを中心として調整移動可能に前記台座１と連結されている。従って、処置すべき患者体域の部位を測定するために必要とするように、患者診療台５の上に横臥させられた患者を種々異なった方向で透射することが可能である。その場合例えば患者診療台５を調整移動することによって、処置すべき患者体域を音波発生源６の作用ゾーン内に位置させるように患者を位置決めすることが可能である。前記音波発生源６は、例えば米国特許第４６７４５０５号明細書及び米国特許第４６９７５８８号明細書に詳説されているように、例えば集束された衝撃波を送出する電磁式圧力パルス源である。
【００１４】
患者を処置するために音波発生源６は、図１に示した作業位置を占め、該作業位置において音波発生源は、図面に略示した患者診療台５の切欠き部９を下から通って突出する。該切欠き部９は、レントゲン式部位測定装置から離反した方の側で、図平面に対して直角に延びている患者診療台５の縦縁に設けられている。
【００１５】
音波発生源６は前記作業位置では、患者が患者診療台５に上がったり横臥したりする場合の妨害物になるので、該音波発生源６は、図２に示した駐留位置へ選択的に調整移動可能である。この駐留位置を得るために、音波発生源６を固定した支持機構７が、例えばモータによって台座１の傾斜した案内路８に沿って移動調整される。図示の実施例ではこの調整運動は直線的である。しかし別の、例えば円弧状の調整運動も可能である。
【００１６】
前記案内路８と支持機構７との間には、図示は省いたが、ガイド部材例えばリニア転がり軸受が設けられている。
【００１７】
音波発生源６を駆動するために、図面に略示したように高圧ケーブル１１を介して音波発生源６と接続された高電圧ジェネレータ１０が設けられている。図示の実施例では該高電圧ジェネレータ１０は、高電圧パルスジェネレータである。
【００１８】
音波発生源６は、周知のように、発生した音波のための音響伝播媒体として液体を有している。該液体は例えば、放熱のためと気泡除去のために、ポンプ１２によって循環回路内を循環させられ、該循環回路には液体補充リザーバ１３も設けられている。該液体補充リザーバ１３は、音波発生源６内に収容されている液体の容積変動を補償できるようにするために設けられている。この容積変動は、音波発生源６が、フレキシブルな連結ベローズ１４によって患者の体表に圧着されることによって生じる。導管１５を介して互いに接続されたポンプ１２と液体補充リザーバ１３はそれぞれ導管１６，１７を介して音波発生源６に接続されている。
【００１９】
高電圧ジェネレータ１０、ポンプ１２及び液体補充リザーバ１３は組付け支持体１９によって支持機構７に固定的に装着されている。この手段によって、作業位置から駐留位置へ、又はその逆に駐留位置から作業位置への音波発生源６の調整移動時に、治療器械構成要素としての高電圧ジェネレータ１０、ポンプ１２及び液体補充リザーバ１３と音波発生源６との間の距離も空間的な配設対応関係も変化することはない。
【００２０】
要するに前記治療器械構成要素と音波発生源６との間には、いかなる相対運動も生ぜず、その結果、因みに管路として構成することのできる導管１５，１６及び１７並びに高圧ケーブル１１の高い耐用寿命が特別の経費をかけることなく得られることになる。これと同時に高圧ケーブル１１の損傷の危険も低下するので、高い安全性が得られる。
【００２１】
なお付加的な利点として挙げておかねばならないことは、従来技術に対比して高圧ケーブル１１の長さが短くなることによって電気的損失の発生量が一層僅かになる一方、従来技術に対比して導管１５及び１６の長さもやはり短くなることに基づいて液圧損失も僅かになるので、容積補償も一層迅速に行なうことができる点である。
【００２２】
音波発生源として、米国特許第４６９７５８８号明細書に開示されている圧力パルス源を設けて、該圧力パルス源を作動させるために負圧源を必要とする場合には、該負圧源も支持機構７に固定的に装着されるのが有利である。
【００２３】
なお図面に破線で略示したカバー１８が設けられており、該カバーの下には、組付け支持体１９が、該組付け支持体に装着された治療器械構成要素と共に遮蔽されて位置している。
【００２４】
本発明の治療器械は例えば結石治療（砕石術）、骨治療（骨療法或いは骨整復処置）、腫瘍治療などに使用される。適用症例に応じて音波発生源６は圧力パルス源、特に衝撃波源、治療超音波源或いは牽引パルス源（負圧パルス源）であることができる。
【図面の簡単な説明】
【図１】作業位置で示した本発明の治療器械の概略側面図である。
【図２】駐留位置で示した本発明の治療器械の概略側面図である。
【符号の説明】
１    台座、  ２    レントゲン線放射器、  ３    レントゲン像増幅器、  ４    Ｃ形円弧部材、  ５    患者診療台、  ６    音波発生源、  ７    支持機構、  ８    案内路、  ９    切欠き部、  １０    高電圧ジェネレータ、  １１    高圧ケーブル、  １２    ポンプ、  １３    液体補充リザーバ、  １４    連結ベローズ、  １５，１６，１７    導管、  １８    カバー、  １９組付け支持体、  Ｍ    中心軸線
【図１】
0003553140.tif 000002
【図２】
0003553140.tif 000003